(57)【特許請求の範囲】
【請求項１】
機体フレームの前方側に搭載された駆動源と、該駆動源を覆うボンネットと、該ボンネットを前記機体フレームに固定するロック機構と、を備え、前記ロック機構は、前記機体フレームの前端部に設けられた機体側ロック部と、前記ボンネットの前壁部の内周側に設けられ、前記機体側ロック部と係脱するボンネット側ロック部と、を有する移動農機において、
前記機体側ロック部の前方を開放するように空隙部を有して、前記機体フレームの前端部にシール取付け部を立設し、該シール取付け部に前記空隙部を掛け渡すようにしてシール部材を取付けてなる、
ことを特徴とする移動農機。
【発明の詳細な説明】
【技術分野】
【０００１】
本発明は、トラクタなどの移動農機に係り、詳しくは駆動源を覆うボンネットのシール構造に関する。
【背景技術】
【０００２】
一般に、ボンネットに覆われた駆動源を、機体前方に搭載したトラクタなどの移動農機が広く知られている。このような移動農機において、ボンネットと機体フレームとの間には、雨水や作業中に飛散した泥土などがエンジンルーム内に入り込まないようにウェザーストラップなどシール部材が配設されている。このウェザーストラップ２２，２３は、従来、機体フレーム１ａに立設した板部材に取付けられており、閉状態において、ボンネット２の周縁がウェザーストラップ２２，２３に押設されることによって、ボンネット２をシールしている（特許文献１参照）。
【先行技術文献】
【特許文献】
【０００３】
【特許文献１】特開２００７−７６５３７号公報
【発明の概要】
【発明が解決しようとする課題】
【０００４】
ところで、上記特許文献１記載のトラクタは、機体フレーム１ａの前端部に配設されたボンネットキャッチ１７によって、ボンネット２を機体フレーム１ａにロックしたり解除したりしているが、上記ウェザーストラップ２２，２３を取付ける板部材は、このボンネットキャッチ１７の前方側においても立設している（引用文献１の図７参照）。
【０００５】
そのため、上記ボンネットキャッチ１７の係合を調節する際に、ボンネット２と機体フレーム１ａとの間の隙間から、ボンネットキャッチ１７を視認しようとしても、この板部材が邪魔になって直接視認することができず、その都度、ボンネットを開閉して調整作業を繰返すことになるという問題があった。
【０００６】
また、上記板部材がボンネットキャッチ１７の前方側で立設しているため、ボンネット２が閉じた状態においてボンネットキャッチ１７にアクセスすることが困難であり、ボンネットキャッチの操作ワイヤーの切断などによって、ロックが解除できなくなった場合には、ボンネット２の一部に孔を明ける必要がある虞があった。
【０００７】
そこで、本発明は、シール部材を取付けるシール取付け部材を、ボンネットのロック機構の前方を開放するように立設させたことにより、上記課題を解決した移動農機を提供することを目的とする。
【課題を解決するための手段】
【０００８】
本発明は、機体フレーム（３）の前方側に搭載された駆動源（４）と、該駆動源（４）を覆うボンネット（２）と、該ボンネット（２）を前記機体フレーム（３）に固定するロック機構（３０）と、を備え、前記ロック機構（３０）は、前記機体フレーム（３）の前端部（３Ｆ）に設けられた機体側ロック部（２０）と、前記ボンネット（２）の前壁部（２ａ）の内周側に設けられ、前記機体側ロック部（２０）と係脱するボンネット側ロック部（１０）と、を有する移動農機（１）において、
前記機体側ロック部（２０）の前方を開放するように空隙部（Ａ）を有して、前記機体フレーム（３）の前端部（３Ｆ）にシール取付け部（４１）を立設し、該シール取付け部（４１）に前記空隙部（Ａ）を掛け渡すようにしてシール部材（４２）を取付けてなる、
ことを特徴とする。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る発明によると、機体フレームの前端部に立設されたシールの取付け部材を、機体側ロック部の前方を開放するように空隙部を有して形成したことにより、例えば、ロック機構の組立て時に、ボンネットを閉じた状態においても、ボンネットと機体フレームとの隙間から、上記取付け部材の空隙部を介して、ロック機構を直接、視認することができ、ボンネット側のロック部と機体側のロック部との係脱を容易に調節することができる。また、ロック機構の解除が困難になった場合、上記シール取付け部材の空隙部を介して直接、ロック機構にアクセスし、ロックを解除することができる。
【図面の簡単な説明】
【００１１】
【図１】本発明の実施形態に係る移動農機の斜視図。
【図２】本発明の実施形態に係る移動農機のロック機構を示す背面図。
【図３】本発明の実施形態に係る移動農機のロック機構を示す平面図。
【図４】本発明の実施形態に係る移動農機のロック機構を示す側面図。
【図５】本発明の実施形態に係る移動農機のシール取付け部材を示す斜視図。
【発明を実施するための形態】
【００１２】
以下、本発明の実施形態について、図面に沿って説明をする。図１に示すように、本発明に係る移動農機としてトラクタ１は、左右のクローラ走行装置５に支持された機体フレーム３を有しており、該機体フレーム３の前方には、ボンネット２に覆われたエンジン（駆動源）４が搭載されている。このボンネット２は、エンジン４の前方側を覆う前壁部２ａと、エンジン４の左右側面を覆う側壁部２ｂと、エンジン４の上面を覆う上壁部２ｃと、が滑らかに連続して形成されており、側壁部２ｂの後端部を中心として上下に開閉自在となっている。
【００１３】
また、エンジン４の後方側には、作業者が乗り込んで操向操作を行うキャビン６が設けられていると共に、このキャビン６の後方側には、ロータリ耕運機などを取付ける三点リンク機構（不図示）が設けられており、これにより、トラクタ１は、圃場を走行しつつ耕運作業ができるように構成されている。
【００１４】
ついで、ボンネット２のロック機構３０について説明をする。ボンネット２を機体フレーム３に固定するロック機構３０は、図２乃至図４に示すように、機体フレーム３の前端部３Ｆに設けられた機体側ロック部２０（図５も併せて参照）と、ボンネット２の前壁部２ａの内周側に設けられたボンネット側ロック部１０と、を備えて構成されている。
【００１５】
上記ボンネット側ロック部１０は、ボンネット２にボルト１７に取付けられる固定プレート１１、該固定プレート１１に回転自在に取付けられる可動フック１２、可動フック１２に固設されると共に固定プレート１１に形成された長孔１１ａに嵌挿される規制ピン１２ａ、可動フック１２を一方側に付勢するスプリング１３、可動フック１２をスプリング１３の付勢力に抗して回動させるオープンワイヤ１５などから構成されており、可動フック１２の先端に形成された鉤形状のフックが、詳しくは後述する機体側ロック部２０のピン２２と係脱するラッチとなっている。
【００１６】
一方、機体側ロック部２０は、機体フレーム３の前壁部３ａの上面３ｃ（機体フレームの前端部３Ｆ）に配設されており、Ｌ字状に屈曲したベース２１と、該ベース２１から機体前方側に延設されるピン２２と、から構成されている。このベース２１は、機体フレーム３の上面３ｃにボルト２３によって固設される取付面２１ｂと、該取付面２１ｂから上方に立上がる立上がり面２１ａと、を有しており、取付面２１ｂには、ボルト２３を嵌挿するための長孔２１ｃが穿設されている。
【００１７】
そして、上記ロック機構３０は、ボンネット２が閉じられると、ボンネット側ロック部１０の可動フック１２が機体側ロック部２０のピン２２と係合してボンネット２を機体フレーム３に対してロックし、ボンネット２の側壁部２ｂに設けられたレバー１４によってオープンワイヤ１５を操作して、ボンネット２のロックを解除する構成となっている。
【００１８】
また、上記固定プレート１１の両端部には、ナットによってその上下方向位置を調節可能なストッパ１６が取付けられており、このストッパ１６を機体フレーム３の上面３ｃと当接することによって、ボンネット２と機体フレーム３との間の隙間Ｓを調整できるように構成されている。
【００１９】
ついで、ボンネット２のシール機構４４について説明をする。図４及び図５に示すように、機体フレーム３の前壁部３ａの上面３ｃ、側壁部３ｂの上面３ｄには、それぞれ、ウェザーストラップ（シール部材）４２を取付けるための取付プレート（シール取付け部）４１，４３Ｌ，４３Ｒが立設している。ウェザーストラップ４２は、上記取付プレート４１，４３Ｌ，４３Ｒに差し込まれる取付部４２ｂと、円筒形に形成された当接部４２ａと、からなるゴム製のシールから構成されており、ボンネット２が閉じた状態において、該ボンネット２の下縁部分が当接部４２ａに対して押圧するように接触することによって、ボンネット２と機体フレーム３との間をシールしている。
【００２０】
上記取付プレート４１，４３Ｌ，４３Ｒの内、前壁部３ａの上面３ｃに配設される前部取付プレート４１は、同じく前壁部３ａの上面３ｃに配設されている機体側ロック部２０の前方が開放するように立設しており、この前部取付プレート４１の開口部（空隙部）Ａがロック機構３０への接続口となっている。より詳しくは、前部取付プレート４１は、上面３ｃの中央部に位置する機体側ロック部２０を境にして左右の取付プレート４１Ｌ，４１Ｒから構成されており、これら左右の取付プレート４１Ｌ，４１Ｒは、機体中央部から機体外側に向かうにつれて機体後方側に向かって斜めに立設している。
【００２１】
そして、これら左右の取付プレート４１Ｌ，４１Ｒは、その中央側端部の間の長さＬ１が、ベース２１の機体幅方向長さＬ２よりも長く形成されており（Ｌ１＞Ｌ２、図２及び図５参照）、これら左右の取付プレート４１Ｌ，４１Ｒの間によって、上記開口部Ａが形成されている。なお、これら左右の取付プレート４１Ｌ，４１Ｒは、少なくとも、その中央部４１Ｌ１，４１Ｒ１においては、機体幅方向（左右方向）に平行に延びており、これら平行に延びた中央部４１Ｌ１，４１Ｒ１は、機体側ロック部２０の前端部よりも機体前方側に位置している。
【００２２】
また、これら左右の取付プレート４１Ｌ，４１Ｒには、上記開口部Ａを掛け渡す形で一本のウェザーストラップ４２が取付られ、左右の取付プレート４１Ｌ，４１Ｒを合わせてひとつの取付プレートとして使用される。
【００２３】
ついで、本発明の実施形態に係るトラクタ１の作用について説明をする。作業者は、ロック機構３０の組立てに際して、まず、ボンネット側ロック部１０をボンネット２の前壁部２ａの内周面に取付けると共に、ベース２１を機体フレーム３の上面３ｃにボルト２３によって仮止めする。そして、このベース２１を仮止めした状態で、ボンネット２を閉め、ボンネット２及び機体フレーム３間の隙間Ｓ及び前部取付プレート４１の開口部Ａを介して、ボンネット側ロック部１０の可動フック１２と、機体側ロック部２０のピン２２との係合部を目視し、これらボンネット側ロック部１０と機体側ロック部２０との係合具合を確かめる。
【００２４】
この時、ロック機構３０の係合を調整する必要がある場合には、仮止めしてあるベース２１を、ボルト２３が嵌挿されている長孔２１ｃの範囲内で移動させて調整し、ベース２１の位置が決まるとボンネット２を開けてボルト２３を本締めする。そして、このロック機構３０の調整が終わると、取付プレート４１，４３Ｌ，４３Ｒにウェザーストラップ４２を取付け、ボンネット２の組付けを終了する。
【００２５】
ところで、上記ロック機構３０のロックを解除するオープンワイヤ１５が腐食などによって切れ、レバー１４を操作してもロックを解除できない場合には、作業者は、ボンネット２及び機体フレーム３間の隙間Ｓから棒状の工具を差し込む。そして、この棒状の工具により、前部取付プレート４１の開口部Ａに掛け渡されたウェザーストラップ４２の下方側を押し退けると共に、該開口部Ａを介してロック機構３０にアクセスし、可動フック１２とピン２２の係合を工具によって強制的に解除する。
【００２６】
このように、ロック機構３０の前方側で立設するウェザーストラップ４２の前部取付プレート４１を、ロック機構３０の前方側を避けるようにして立設させたことによって、ボンネット２を閉じた状態においても、前部取付プレート４１の開口部Ａを介してロック機構３０にアクセスができるようになり、ロック機構の調節の際に係合部を直接目視しながら容易に調整作業を行うことができる。
【００２７】
また、オープンワイヤ１５が腐食などによって切れてしまった際にも、上記前部取付プレート４１の開口部Ａから工具を挿入することができ、ボンネット２に孔などを明けなくとも、ロック機構３０のロックを解除することができる。
【００２８】
なお、本実施形態において、前部取付プレート４１を２つに分割して形成すると共に、これら左右の前部取付プレート４１Ｌ，４１Ｒを所定距離、離して配設することによって、ロック機構３０の前方側に空隙部を形成したが、必ずしも前部取付プレート４１を分割して形成する必要はなく、前部取付プレートのロック機構３０（機体側ロック部２０）の前方部分に孔や切欠きを形成して開口部としても良い。
【００２９】
また、本実施形態では、トラクタについて説明をしたが、本発明は、田植え機などどのような移動農機に対しても当然に適用しても良い。
【符号の説明】
【００３０】
１    移動農機（トラクタ）
２    ボンネット
２ａ  前壁部
３    機体フレーム
３Ｆ  前端部
４    駆動源（エンジン）
１０  ボンネット側ロック部
２０  機体側ロック部
３０  ロック機構
４１  シール取付け部（前部取付プレート）
４２  シール部材（ウェザーストラップ）
Ａ    空隙部（開口部）
【図１】
0005497549.tif 000002
【図２】
0005497549.tif 000003
【図３】
0005497549.tif 000004
【図４】
0005497549.tif 000005
【図５】
0005497549.tif 000006